(57)【要約】      （修正有）【課題】コンパクトな光学的配置が可能なように構造が改善された光トンネル、これを利用した均一光照明装置及びこれを採用したプロジェクターを提供する。【解決手段】入射された光がその側壁で反射されて内部で進むようにガイドし、出射される光が均一光になるようにするガイド部材と、ガイド部材の少なくとも一端部に設けられ、入射光軸に対して所定角度で傾くように配置され、入射光を反射させてその進路を変える光路変換部とを含む光トンネルである。さらに、光源と、前記の光トンネルと、光トンネルの出射面に対向されるように配置されるリレイレンズユニットとを含む均一光照明装置である。さらに、前記の均一光照明装置と、画像を形成する画像形成ユニットと、光トンネル側から入射された光が画像形成ユニットを経由してスクリーン方向に向かうように光路を変換する光路変換ユニットと、投射レンズユニットとを含む。【選択図】図１０
2005122136.tif 000002
【特許請求の範囲】
【請求項１】
入射された光がその側壁で反射されて内部で進むようにガイドし、出射される光が均一光になるようにするガイド部材と、
前記ガイド部材の少なくとも一端部に設けられ、入射光軸に対して所定角度で傾くように配置され、入射光を反射させてその進路を変える光路変換部とを含むことを特徴とする光トンネル。
【請求項２】
前記ガイド部材は、
光が進む内部空間を覆い包む鏡筒と、
前記鏡筒の内側壁に形成された反射部とを含むことを特徴とする請求項１に記載の光トンネル。
【請求項３】
前記光路変換部は、
光が入射または出射される開口部と、
前記鏡筒の少なくとも一端部に所定角に傾いて配置され、入射光を反射させてその進行方向を変える反射ミラーとを含むことを特徴とする請求項２に記載の光トンネル。
【請求項４】
前記ガイド部材は、
周辺との屈折率の差により、内部に所定角度で入射された光が全反射されて進むようにガイドするガラスロッドであることを特徴とする請求項１に記載の光トンネル。
【請求項５】
前記光路変換部は、
前記ガラスロッドの少なくとも一端部に一体に形成され、前記ガラスロッドの側壁に対して所定傾きで傾くように配置された傾斜部と、
前記傾斜部の外側に形成され、入射光を反射させてその進行方向を変える反射ミラーとを含むことを特徴とする請求項４に記載の光トンネル。
【請求項６】
光を生成し、この生成された光が一方向に向かうように照明する光源と、
前記光源と対向に配置され、前記光源から照明された光の進行方向を変え、出射光が均一光になるようにする光トンネルと、
前記光トンネルの出射面に対向されるように配置され、前記光トンネルを透過した光が像面に集まるように入射される光を集束及び/または発散させるリレイレンズユニットとを含むことを特徴とする均一光照明装置。
【請求項７】
前記光トンネルは、
入射された光がその側壁で反射されて内部で進むようにガイドすると共に、均一光になるようにするガイド部材と、
前記ガイド部材の少なくとも一端部に設けられ、入射光軸に対して所定角度で傾くように配置され、入射光を反射させてその進路を変える光路変換部とを含むことを特徴とする請求項６に記載の均一光照明装置。
【請求項８】
前記ガイド部材は、
光が進む内部空間を覆い包む鏡筒と、
前記鏡筒の内側壁に形成された反射部とを含むことを特徴とする請求項７に記載の均一光照明装置。
【請求項９】
前記光路変換部は、
光が入射または出射される開口部と、
前記鏡筒の少なくとも一端部に所定角に傾いて配置され、入射光を反射させてその進行方向を変える反射ミラーとを含むことを特徴とする請求項８に記載の均一光照明装置。
【請求項１０】
前記ガイド部材は、
周辺との屈折率の差により、内部に所定角度で入射された光が全反射されて進むようにガイドするガラスロッドであることを特徴とする請求項７に記載の均一光照明装置。
【請求項１１】
前記光路変換部は、
前記ガラスロッドの少なくとも一端部に一体に形成され、前記ガラスロッドの側壁に対して所定角に傾いて配置された傾斜部と、
前記傾斜部の外側に形成され、入射光を反射させてその進行方向を変える反射ミラーとを含むことを特徴とする請求項１０に記載の均一光照明装置。
【請求項１２】
光を生成し、この生成された光が一方向に向かうように照明する光源と、
前記光源と対向に配置され、前記光源から照明された光の進行方向を変え、出射光が均一光になるようにする光トンネルと、
前記光トンネルを透過した光を選択的に透過または反射させて画像を形成する画像形成ユニットと、
前記光トンネルと前記画像形成ユニットとの間の光路上に配置され、前記光トンネル側から入射された光が前記画像形成ユニットを経由してスクリーン方向に向かうように光路を変換する光路変換ユニットと、
前記画像形成ユニットで形成された画像を前記スクリーン方向に投射させる投射レンズユニットとを含むことを特徴とするプロジェクター。
【請求項１３】
前記光源と前記画像形成ユニットとの間の光路上に配置され、前記光源から照明された光からカラーを分離する色分離ユニットをさらに含むことを特徴とする請求項１２に記載のプロジェクター。
【請求項１４】
前記色分離ユニットは、
前記光源から入射された白色光の中で所定波長の光各々を選択的に通過させる複数のカラーフィルターを具備し、各カラーフィルターが光路上に順に配置されるように回転自在に設置されたカラー回転板と、
前記カラー回転板を回転駆動する駆動源とを含むことを特徴とする請求項１３に記載のプロジェクター。
【請求項１５】
前記画像形成ユニットは、
デジタルマイクロミラー素子、透過型液晶表示素子及び反射型液晶表示素子の中から選択されたいずれか一つの素子からなることを特徴とする請求項１２に記載のプロジェクター。
【請求項１６】
前記光トンネルは、
入射された光がその側壁で反射されて内部で進むようにガイドすると共に、均一光になるようにするガイド部材と、
前記ガイド部材の少なくとも一端部に設けられ、入射光軸に対して所定角度で傾くように配置され、入射光を反射させてその進路を変える光路変換部とを含むことを特徴とする請求項１２ないし１５のうちいずれか一項に記載のプロジェクター。
【請求項１７】
前記ガイド部材は、
光が進む内部空間を覆い包む鏡筒と、
前記鏡筒の内側壁に形成された反射部とを含むことを特徴とする請求項１６に記載のプロジェクター。
【請求項１８】
前記光路変換部は、
光が入射または出射される開口部と、
前記鏡筒の少なくとも一端部に所定角に傾いて配置され、入射光を反射させてその進行方向を変える反射ミラーとを含むことを特徴とする請求項１７に記載のプロジェクター。
【請求項１９】
前記ガイド部材は、
周辺との屈折率の差により、内部に所定角度で入射された光が全反射されて進むようにガイドするガラスロッドであることを特徴とする請求項１６に記載のプロジェクター。
【請求項２０】
前記光路変換部は、
前記ガラスロッドの少なくとも一端部に一体に形成され、前記ガラスロッドの側壁に対して所定角に傾いて配置された傾斜部と、
前記傾斜部の外側に形成され、入射光を反射させてその進行方向を変える反射ミラーとを含むことを特徴とする請求項１９に記載のプロジェクター。
【発明の詳細な説明】
【技術分野】
【０００１】
本発明は、均一光を照明するための光トンネル、これを利用した均一光照明装置及びこれを採用したプロジェクターに係り、より詳細には、コンパクトな光学的配置のために構造が改善された光トンネル、これを利用した均一光照明装置及びこれを採用したプロジェクターに関する。
【背景技術】
【０００２】
一般的に、プロジェクターは、照明装置及び画像表示素子を利用して画像を提供する装置である。ここで、画像表示素子としては、デジタルマイクロミラー素子(ＤＭＤ)、透過型液晶表示素子(ＬＣＤ)、反射型液晶表示素子(ＬＣＯＳ)などがある。
【０００３】
均一光照明装置は、ランプから照射された光が均一したプロファイルで照明されるようにする装置であり、前記のプロジェクターなどの投射光学装置に広く利用される。
【０００４】
図１を参照するに、従来の均一光照明装置は、光を照射する光源１０と、この光源１０から照射される光を均一にする光トンネル１３と、リレイレンズユニット１５を具備する。
【０００５】
光源１０は、光を生成するランプ１１と、このランプ１１から出射された光の一部を反射させてその進路を案内する反射鏡１２とを含む。ここで、ランプ１１は、アーク放電などを通じて光を生成する。したがって、光源１０は、アークギャップによる影響及びランプ１１から照射された光のうち反射鏡１２を経由せずに直接照明された光の影響等によって不均一な光を照明する。
【０００６】
光トンネル１３は、直六面体形状のガラスロッドで構成され、光源１０側から入射された光が均一になるようにする。すなわち、この光トンネル１３の入射面１３ａに対して所定傾斜角に入射された光は、その側壁１３ｂから全反射されて出射面１３ｃの方向に向かう。このように、全反射原理を利用して入射光をスクランブルさせることにより、均一光が出射されるようにする。
【０００７】
一方、光トンネル１３は、入射面１３ａと出射面１３ｃとが正反対方向に向かうように配置された構造である。そして、従来の均一光照明装置は、その入射面１３ａと対向に光源１０が配置され、その出射面１３ｃと対向にリレイレンズユニット１５が配置された構造を有する。したがって、前記の構成を有する照明装置は、その幅Ｄ１が光源１０、光トンネル１３及び、リレイレンズユニット１５の全体的な空間配置により決定されるので、多くの空間が必要であるという短所がある。また、プロジェクターに前記の均一光照明装置を採用する場合、プロジェクターの小型化が限られる問題点がある。
【発明の開示】
【発明が解決しようとする課題】
【０００８】
本発明は、前記のような問題点を鑑みて案出されたものであり、光路を変えうる光トンネル、これを採用した均一光照明装置及び、プロジェクターを提供することにその目的がある。
【課題を解決するための手段】
【０００９】
前記の目的を達成するために、本発明に係る光トンネルは、入射された光がその側壁で反射されて内部で進むようにガイドし、出射される光が均一光になるようにするガイド部材と、前記ガイド部材の少なくとも一端部に設けられ、入射光軸に対して所定角度で傾くように配置され、入射光を反射させてその進路を変える光路変換部とを含むことを特徴とする。
【００１０】
さらに、本発明に係る均一光照明装置は、光を生成し、この生成された光が一方向に向かうように照明する光源と、前記光源と対向に配置され、前記光源から照明された光の進行方向を変え、出射光が均一光になるようにする光トンネルと、前記光トンネルの出射面に対向されるように配置され、前記光トンネルを透過した光が像面に集まるように入射される光を集束及び/または発散させるリレイレンズユニットとを含むことを特徴とする。
【００１１】
さらに、本発明に係るプロジェクターは、光を生成し、この生成された光が一方向に向かうように照明する光源と、前記光源と対向に配置され、前記光源から照明された光の進行方向を変え、出射光が均一光になるようにする光トンネルと、前記光トンネルを透過した光を選択的に透過または反射させて画像を形成する画像形成ユニットと、前記光トンネルと前記画像形成ユニットとの間の光路上に配置され、前記光トンネル側から入射された光が前記画像形成ユニットを経由してスクリーン方向に向かうように光路を変換する光路変換ユニットと、前記画像形成ユニットで形成された画像を前記スクリーン方向に投射させる投射レンズユニットとを含むことを特徴とする。
【発明の効果】
【００１２】
本発明によると、均一光照明及び光路変換機能をする光トンネルを採用することにより、別途の反射ミラーなどの光学要素を採用しなくても配置空間を効率的に活用でき、プロジェクターの全体の大きさ特に、プロジェクターのキャビネットの前後幅を短くし、コンパクト化できる利点がある。
【００１３】
さらに、本発明によると、光トンネルが光路変換機能を同時に行うように構成することで、光が入射される部分及び/または出射される部分の方向を変えうる。したがって、この光トンネルを採用した光学装置をより容易に光学的に配置できる。
【００１４】
さらに、前記の光トンネルを採用した均一光照明装置は、別途の反射ミラーなどの光学要素を採用しなくても、与えられた配置空間内で光源とリレイレンズユニットとをより容易に光学的に配置できる。さらに、均一光照明装置が占めた全体の長さを短くすることにより、均一光照明装置をよりコンパクト化できるという利点がある。
【００１５】
さらに、本発明に係るプロジェクターは、均一光照明及び光路変換機能をする光トンネルを採用することにより、別途の反射ミラーなどの光学要素を採用しなくても配置空間を効率的に活用できる。したがって、プロジェクターの全体の大きさ、特にプロジェクターのキャビネットの前後幅を短くしてコンパクト化できる利点がある。
【発明を実施するための最良の形態】
【００１６】
以下、図面を参照して本発明についてより詳しく説明する。
【００１７】
図２及び図３を参照するに、本発明の第１実施例に係る光トンネルは、入射された光の進行をガイドすると共に、均一光を出射させるガイド部材２０と、このガイド部材２０の端部に設けられた光路変換部３０とを含む。
【００１８】
ガイド部材２０は、光が進む内部空間を覆い包む鏡筒２１と、鏡筒２１の内側壁に形成された反射部２３とを含む。このガイド部材２０に所定傾斜角に入射された光は、反射部２３から内側に全反射され、スクランブルされながら進む。したがって、ガイド部材２０を通過した光は、入射光のビームプロファイルとは異なる均一な光になる。
【００１９】
光路変換部３０は、ガイド部材２０の両端部に設けられ、入射光の進路を変換する。この光路変換部３０は、光が入射または出射される第１及び第２開口部３１ａ,３１ｂと、鏡筒２１の両端部各々に所定角に傾いて配置された一対の第１及び第２反射ミラー３３ａ,３３ｂとを含む。
【００２０】
したがって、第１開口部３１ａを通じて入射された光は、第１反射ミラー３３ａで反射され、経路が変換されたままで鏡筒２１内部に入射される。この鏡筒２１の内部に入射された光は、反射部２３で反射されて第２反射ミラー３３ｂ方向に進む。鏡筒２１内部を通過したスクランブルされた光は、第２反射ミラー３３ｂで反射され、第２開口部３１ｂを通じて出射される。
【００２１】
さらに、第２実施例に係る光トンネルは、前記の第１実施例と比べて光路変換部３０の構造を変更したところに特徴がある。
【００２２】
図４を参照するに、光路変換部３０は、ガイド部材２０の一端部に設けられ、入射光の進路を変換する。この光路変換部３０は、光が入射される開口部３１と、開口部３１を通じて入射された光が鏡筒２５の内部に向かうように、鏡筒２５の一端部に所定角に傾いて配置された反射ミラー３３とを含む。したがって、開口部３１を通じて入射された光は、反射ミラー３３で反射され、経路が変換されたままで鏡筒２５の内部に入射される。この鏡筒２５の内部に入射された光は、反射部２７で反射されて進み、鏡筒２５の他端部を通じて出射される。
【００２３】
一方、図４においては、鏡筒の入射端部に対して光路変換部３０を設けたものを例として説明したが、これは例示的なものに過ぎず、鏡筒２５の出射端部に設けた構成も可能である。
【００２４】
図５及び図６を参照するに、本発明の第３実施例に係る光トンネルは、入射された光の進行をガイドすると共に、均一光が出射されるようにするガイド部材４０と、このガイド部材４０の端部に設けられた光路変換部５０とを含む。
【００２５】
ガイド部材４０は、内部に所定角度で入射された光が全反射されて進むようにガイドするガラスロッド４１である。ここで、ガイド部材４０の内部での全反射は、ガラスロッド４１を構成するガラスと周辺媒質(例えば、空気)との屈折率の差により、臨界角θcより大きい角度でガイド部材４０の側壁に入射される時に行われる。このように、全反射されてガイド部材４０を通過した光は、入射光のビームプロファイルとは異なる均一な光になる。
【００２６】
光路変換部５０は、ガイド部材４０の両側端部各々に一体に設けられ、入射光の進路を変換する。この光路変換部５０は、第１及び第２傾斜部５１ａ,５１ｂと、第１及び第２傾斜部５１ａ,５１ｂそれぞれの外側に形成された第１及び第２反射ミラー５３ａ,５３ｂとを含む。
【００２７】
第１及び第２傾斜部５１ａ,５１ｂの各々は、ガイド部材４０の側壁に対して所定角に傾いて配置される。第１及び第２反射ミラー５３ａ,５３ｂ各々は、第１及び第２傾斜部５１ａ,５１ｂそれぞれの外側に形成され、入射光を反射させてその進行方向を変える。
【００２８】
したがって、入射面５５ａを通じて入射された光は、第１反射ミラー５３ａで反射され、経路が変換されたままでガラスロッド４１の内部を通過する。このガラスロッド４１の内部に入射された光は、その側壁４１ａで反射されて第２反射ミラー５３ｂ方向に進む。ガラスロッド４１の内部を通過したスクランブルされた光は、第２反射ミラー５３ｂで反射され、出射面５５ｂを通じて出射される。
【００２９】
さらに、第４実施例に係る光トンネルは、前記の第３実施例と比べて光路変換部５０の構造を変更したところに特徴がある。
【００３０】
図７を参照するに、光路変換部５０は、ガイド部材４０の一端部に設けられ、入射光の進路を変換する。この光路変換部５０は、ガイド部材４０の側壁から延長形成された領域に設けられた入射面５５を通じて入射された光の進路を変換するためのものであり、傾斜部５１と、傾斜部５１の外側に形成された反射ミラー５３とを含む。
【００３１】
したがって、入射面５５を通じて入射された光は、反射ミラー５３で反射され、経路が変換されたままでガラスロッド４５の内部に入射される。この入射された光は、ガラスロッド４５の他端部４５ａを通じて出射される。
【００３２】
一方、図７においては、ガイド部材４０の入射端部に対して光路変換部５０を設けたものを例として説明したが、これは例示的なものに過ぎず、ガイド部材４０の出射端部に設けた構成も可能である。
【００３３】
前記のように光トンネルを構成することにより、光が入射される部分及び/または出射される部分の方向を変えうるので、前記光トンネルを採用した光学装置をより容易に光学的に配置しうる。
【００３４】
図８を参照するに、本発明の一実施例に係る均一光照明装置は、光源６０と、この光源６０から照明された光が均一光になるようにする光トンネル１００と、光トンネル１００を透過した光が像面Ｓに結ばれるように入射される光を集束及び/または発散させるリレイレンズユニット７０とを含んで構成される。
【００３５】
光源６０は、光を生成するランプ６１と、この生成された光が一方向に向かうように照明する反射鏡６５とを含む。反射鏡６５は、その曲率形状によって楕円鏡と放物鏡とに分けられる。この光源６０の構成自体は、当該技術分野で広く知られているので、その詳細な説明は略する。
【００３６】
光トンネル１００は、光源６０とリレイレンズユニット７０との間の光路上に設けられ、光源６０から照明された光の進行方向を変えると共に、出射光が均一光になるようにする。
【００３７】
このために、光トンネル１００は、ガイド部材１２０と、このガイド部材１２０の両側端部各々に設けられて入射光の進路を変える光路変換部１３０とを含む。光トンネル１００は、図２及び図３を参照して説明された第１実施例に係る光トンネルまたは図５及び図６を参照して説明された第３実施例に係る光トンネルと実質的に同一なので、その詳細な説明は略する。
【００３８】
このように構造が改善された光トンネルを利用することにより、光源６０とリレイレンズユニット７０といずれも光トンネル１００の一側に配置できるので、光トンネル１００の配置時にその幅ほどの空間だけ必要である。したがって、全ての光学要素の配置時に必要な幅Ｄ２が、図１に示された幅Ｄ１に比べて小さくなることが分かる。
【００３９】
したがって、光源６０とリレイレンズユニット７０とを光学的に配置する時、光トンネル１００が占める空間を減らし、コンパクト化された均一光照明装置を具現できる。
【００４０】
図９を参照するに、本発明の他の実施例に係る均一光照明装置は、光源６０と、この光源６０から照明された光が均一光になるようにする光トンネル１００と、光トンネル１００を透過した光が像面に結ばれるように入射される光を集束及び/または発散させるリレイレンズユニット７０とを含んで構成される。
【００４１】
光源６０及びリレイレンズユニット７０は、前記説明された一実施例に係る均一光照明装置の光源６０及びリレイレンズユニット７０各々と同じなので、その詳細な説明は略する。
【００４２】
光トンネル１００は、光源６０とリレイレンズユニット７０との間の光路上に設けられる。この光トンネル１００は、光源６０から照明された光の進行方向をほぼ９０’角度で変えると共に、出射光が均一光になるようにする。
【００４３】
この為に、光トンネル１００は、ガイド部材１４０と、このガイド部材１４０の一端部に設けられ、入射光の進路を変える光路変換部１５０とを含む。光トンネル１００は、図４を参照して説明された第２実施例に係る光トンネルまたは図７を参照して説明された第４実施例に係る光トンネルと実質的に同一なので、その詳細な説明は略する。
【００４４】
前記のように、光路変換機能をする光トンネルを採用することにより、別途の反射ミラーなどの光学要素を採用しなくても、与えられた配置空間内で光源とリレイレンズユニット７０とをより容易に光学的に配置でき、均一光照明装置をよりコンパクト化できるという利点がある。
【００４５】
図１０を参照するに、本発明の一実施例に係るプロジェクターは、光源６０と、この光源６０から照明された光が均一光になるようにする光トンネル１００と、画像を形成する画像形成ユニット８０と、形成された画像がスクリーン(図示せず)方向に向かうように光路を変換する光路変換ユニット８５と、光路変換ユニット８５で光路が変換された光をスクリーン方向に拡大投射させる投射レンズユニット９０とを含んで構成される。
【００４６】
さらに、光トンネル１００と光路変換ユニット８５との間の光路上には、光トンネル１００を透過した光を集束及び/または発散させ、画像形成ユニット８０に伝達するリレイレンズユニット７０をさらに含むことが望ましい。
【００４７】
光源６０、光トンネル１００及び、リレイレンズユニット７０は、その光学的配置及び作用において、図８を参照して説明された本発明の一実施例に係る均一光照明装置と実質的に同一なので、その詳細な説明は略する。
【００４８】
画像形成ユニット８０は、光トンネル１００を透過した光を選択的に透過または反射させて画像を形成する。この画像形成ユニット８０は、入射光を各画素単位に選択的に反射させることにより、画像を形成するＤＭＤ、ＬＣＯＳなどの反射型画像形成ユニットと、入射光を各画素単位に選択的に透過させることにより、画像を形成するＬＣＤなどの透過型画像形成ユニットとに分けられる。図１０では、画像形成ユニット８０として反射型画像形成ユニットを示したが、これは例示的なものに過ぎず、これに限らず、前記の透過型画像形成ユニットとしての変形使用も可能である。
【００４９】
光路変換ユニット８５は、光トンネル１００と画像形成ユニット８０との間の光路上に配置される。この光路変換ユニット８５は、光源６０側で入射された光が画像形成ユニット８０に照明されるようにし、画像形成ユニット８０で形成された画像が投射レンズユニット９０方向に向かうようにする。このために、光路変換ユニット８５は、臨界角プリズム８７と、この臨界角プリズム８７の一面に対向に配置された補償プリズム８９とを含んで構成される。
【００５０】
臨界角プリズム８７は、リレイレンズユニット７０と対向する入射面８７ａと、光源６０側から入射された光は反射させ、画像形成ユニット８０側から入射された画像に対応される有効光は出射させる出反射面８７ｂと、画像形成ユニット８０に対向に配置された出入面８７ｃとを有する。補償プリズム８９は、出反射面８７ｂに対向に配置され、入射された光を屈折出射させることにより、画像形成ユニット８０で形成された画像の外形を補正してスクリーン(図示せず)に対応される比率を有する。
【００５１】
また、本実施例に係るプロジェクターは、光源６０から照明された光からカラーを分離する色分離ユニット９５をさらに含むことが望ましい。
【００５２】
色分離ユニット９５は、光源６０と画像形成ユニット８０との間の光路上に配置される。この色分離ユニット９５は、カラー回転板９７と、このカラー回転板９７を回転駆動する駆動源９９とを含んで構成される。カラー回転板９７は、光源６０から入射された白色光の中で所定波長の光各々を選択的に通過させる複数のカラーフィルター(図示せず)を具備し、各カラーフィルターが光路上に順に配置されるように回転自在に設置される。
【００５３】
図１１を参照するに、本発明の他の実施例に係るプロジェクターは、光源６０と、この光源６０から照明された光が均一光になるようにする光トンネル１００と、画像を形成する画像形成ユニット８０と、形成された画像がスクリーン(図示せず)方向に向かうように光路を変換する光路変換ユニット８５と、光路変換ユニット８５で光路が変換された光をスクリーン方向に拡大投射させる投射レンズユニット９０とを含んで構成される。
【００５４】
本実施例に係るプロジェクターは、一実施例に係るプロジェクターと比べて、光トンネル１００の形状を変更した点に差がある。すなわち、他の構成要素は、一実施例に係るプロジェクターと実質的に同一なので、その詳細な説明は略する。
【００５５】
光トンネル１００は、光源６０から照明された光の進行方向をほぼ９０’角度で変えると共に、出射光が均一光になるようにする。この光トンネル１００は、図４及び図７を参照して説明された第２及び第４実施例に係る光トンネル１００と実質的に同一なので、詳細な説明は略する。
【産業上の利用可能性】
【００５６】
本発明に係る光トンネル、均一光照明装置及びこれを採用したプロジェクターは、デジタルテレビ等に適用できる。
【図面の簡単な説明】
【００５７】
【図１】従来の均一光照明装置の光学的配置を示した概略的な図である。
【図２】本発明の第１実施例に係る光トンネルを示した斜視図である。
【図３】図２の断面図である。
【図４】本発明の第２実施例に係る光トンネルを示した断面図である。
【図５】本発明の第３実施例に係る光トンネルを示した斜視図である。
【図６】図５の断面図である。
【図７】本発明の第４実施例に係る光トンネルを示した断面図である。
【図８】本発明の一実施例に係る均一光照明装置の光学的配置を示した概略的な図である。
【図９】本発明の他の実施例に係る均一光照明装置の光学的配置を示した概略的な図である。
【図１０】本発明の一実施例に係るプロジェクターの光学的配置を示した概略的な図である。
【図１１】本発明の他の実施例に係るプロジェクターの光学的配置を示した概略的な図である。
【符号の説明】
【００５８】
６０    光源
６１    ランプ
６５    反射鏡
７０    リレイレンズユニット
８０    画像形成ユニット
８５    光路変換ユニット
８７    臨界角プリズム
８７ａ  入射面
８７ｂ  出反射面
８７ｃ  出入面
８９    補償プリズム
９０    投射レンズユニット
９５    色分離ユニット
９７    カラー回転板
９９    駆動源
１００  光トンネル
１２０  ガイド部材
１３０  光路変換部
【図１】
2005122136.tif 000003
【図２】
2005122136.tif 000004
【図３】
2005122136.tif 000005
【図４】
2005122136.tif 000006
【図５】
2005122136.tif 000007
【図６】
2005122136.tif 000008
【図７】
2005122136.tif 000009
【図８】
2005122136.tif 000010
【図９】
2005122136.tif 000011
【図１０】
2005122136.tif 000012
【図１１】
2005122136.tif 000013